(57)【特許請求の範囲】
【請求項１】
食器かごを内装する洗浄槽と、洗浄水を噴射する洗浄ノズルと、洗浄水を加圧する洗浄ポンプと、洗浄槽の開口部を閉じる蓋と、洗剤を収納する容器部及び前記容器部に振動を加えるための加振手段を備えた洗剤投入装置とを有し、前記容器部はその一部を直接的に洗浄槽内に開放させ、前記加振手段により容器部を加振することで洗剤を洗浄槽へ投入するようにした食器洗浄機。
【請求項２】
加振手段を超音波振動子で構成した請求項１記載の食器洗浄機。
【請求項３】
食器かごを内装する洗浄槽と、洗浄水を噴射する洗浄ノズルと、洗浄水を加圧する洗浄ポンプと、洗浄槽の開口部を閉じる蓋と、洗剤を収納する容器部を備えた洗剤投入装置とを有し、前記容器部は弾性体を介して可動的に保持するとともに、その一部が直接的に洗浄槽内に開放されるように構成し、前記洗浄ノズルから噴出される洗浄水の勢いにより容器部を振動させることにより、前記容器内の洗剤が洗浄槽に投入されるようにした食器洗浄機。
【発明の詳細な説明】
【０００１】
【発明が属する技術分野】
本発明は、洗剤を効率よく投入する洗剤投入装置を備えた食器洗浄機に関するものである。
【０００２】
【従来の技術】
従来の食器洗浄機について、図６に基づいて説明する。食器の洗浄を行う場合には、洗浄槽１２の開口部を閉じる蓋１３を開け、被洗浄物である食器を洗浄槽の食器かご１４に収納し、蓋１３に設けられ洗浄槽に洗剤を投入する洗剤投入装置１５に洗剤１６を入れ、蓋を閉じて運転を開始する。運転が開始されると、まず洗浄ポンプ１７が洗浄水を加圧する動作が安定するように、所定量の洗浄水を洗浄槽１２に供給する給水工程が実行される。続いて、洗浄ポンプ１７によって加圧された洗浄水が洗浄ノズル１８の噴射口から噴射される予備洗浄工程が行われ、これによって被洗浄物が大まかに洗浄される。ただし、この行程においては洗剤投入装置１５から洗剤１６全てが投入されるわけではなく、次に述べる本洗浄のために洗剤投入装置１５内にはまだ洗剤１６が残っている。
【０００３】
予備洗浄が終わると洗浄水は一旦排水される。排水が終わると給水行程が再び実行され、続いて本洗浄工程が行われる。この行程において洗剤投入装置１５から洗剤１６が自動的に洗浄槽１２へ投入される。即ち、洗浄ポンプ１７によって加圧され且つヒータ１９によって加熱された洗浄水が、洗剤と共に洗浄ノズル１８の噴射口から噴射され、洗浄水の衝突力・洗剤・熱等の作用によって、食器は洗浄されるものである。
【０００４】
本洗浄工程を経ると、次に食器等から洗い落とされた汚れを含む洗浄水を排水ポンプ２０によって機外に排出する排水工程に入る。引き続いて、新たに洗浄水を供給する給水工程と、洗剤や残菜（食器に付着した汚れを残菜ともいう）で汚れた食器をすすぐために洗浄水を洗浄ノズル１８から噴射するすすぎ工程と、前記排水工程とが連続して数回繰り返されて、洗浄工程を終了する。なお、２１は、洗浄ポンプ１７、ヒータ１９、排水ポンプ２０等を制御する制御装置である。
【０００５】
【発明が解決しようとする課題】
しかし前記従来の洗剤投入装置では、予備洗浄工程の際に洗剤投入装置内部に蓄えられた洗剤の一部が湿って洗剤投入装置内に固着してしまい、本洗浄において洗浄槽内に洗剤全てを投入することが難しくなるといった課題を有している。
【０００６】
【課題を解決するための手段】
本発明はこの様な従来の方法が有している課題を解決するもので、洗剤投入装置に加振手段を設けることで、洗浄槽内に効率よく洗剤全てを投入することを実現するものである。
【０００７】
【発明の実施の形態】
請求項１に記載した発明は、食器かごを内装する洗浄槽と、洗浄水を噴射する洗浄ノズルと、洗浄水を加圧する洗浄ポンプと、洗浄槽の開口部を閉じる蓋と、洗剤を収納する容器部及び前記容器部に振動を加えるための加振手段を備えた洗剤投入装置とを有し、前記容器部はその一部を直接的に洗浄槽内に開放させ、前記加振手段により容器部を加振することで洗剤を洗浄槽へ投入するようにしたので、洗浄槽内に効率よく洗剤全てを投入できるものである。
【０００８】
請求項２に記載した発明は、請求項１記載の発明に加え、加振手段を超音波振動子としたので、電気的にタイミング良く加振でき、洗浄槽内に効率よく洗剤全てを投入できるものである。
【０００９】
請求項３に記載した発明は、食器かごを内装する洗浄槽と、洗浄水を噴射する洗浄ノズルと、洗浄水を加圧する洗浄ポンプと、洗浄槽の開口部を閉じる蓋と、洗剤を収納する容器部を備えた洗剤投入装置とを有し、前記容器部は弾性体を介して可動的に保持するとともに、その一部が直接的に洗浄槽内に開放されるように構成し、前記洗浄ノズルから噴出される洗浄水の勢いにより容器部を振動させることにより、前記容器内の洗剤が洗浄槽に投入されるようにしたので、洗浄槽内に効率よく洗剤全てを投入できるものである。
【００１０】
【実施例】
（実施例１）
以下本発明の第一の実施例について説明する。全体の基本構成とその動作は従来例と同様なので、異なる部分即ち洗剤投入装置についてのみ説明することにする。図１は本実施例の洗剤投入装置の構成を示す説明図である。
【００１１】
１は洗剤を入れる容器、２は洗剤容器１を遮蔽する遮蔽部材で中心軸３の周りに回転可能に取り付けられている。４は洗剤容器１に取り付けられた加振手段である。
【００１２】
以下本実施例の動作について説明する。まず図１［ａ］に示す状態で、容器１に洗剤を入れる。次に図１［ｂ］に示すように、遮蔽部材２を１８０度回転させて容器を外部から遮蔽する。遮蔽部材２は図示していない係止機構によって容器１を遮蔽した状態で係止される。この状態で本体を動作させると、予備洗浄が終わり本洗浄が始まると制御回路２１によって遮蔽部材２の係止が解除され、遮蔽部材２が元の位置に戻り、容器１内が外部へむきだしとなって中の洗剤が洗浄槽へ放出される。このとき、加振装置により容器１内の洗剤が加振されるので、容器内部の洗剤がたとえ湿って固着しようとも、強制的に洗剤は容器外部へ放出されることになる。
【００１３】
以上のように本発明によれば、加振装置により容器１内の洗剤が強制的に容器外部へ放出されるので、洗浄槽内に効率よく洗剤全てを投入することができる。
【００１４】
（実施例２）
次に本発明の第２の実施例について説明する。本実施例の基本構成および基本動作は実施例１と同様なので、異なる部分について説明する。
【００１５】
図２は図１［ｂ］の断面ｍ−ｍを示すものである。１は洗剤を入れる容器、２は容器１を遮蔽する遮蔽部材、５は振動板でその裏面には超音波振動子６が取り付けられている。７は洗剤である。
【００１６】
以下本実施例の動作について説明する。この状態で本体を動作させると、予備洗浄が終わり本洗浄が始まると遮蔽部材２の係止が解除されて遮蔽部材２が元の位置に戻り、容器１内が外部へむきだしとなる。これと同時に超音波振動子６に入力を与え、振動板５を振動させる。従って強制的に加振された洗剤７は崩れ落ちて洗浄槽へ放出される。
【００１７】
以上のように本発明によれば、遮蔽部材が開くタイミングと都合良く加振でき、洗浄槽内に効率よく洗剤全てを投入することができる。
【００１８】
（実施例３）
次に本発明の第３の実施例について説明する。本実施例の基本構成および基本動作は実施例１と同様なので、異なる部分について説明する。
【００１９】
図３は図１［ｂ］の断面ｍ−ｍを示すものである。１は洗剤を入れる容器、２は容器１を遮蔽する遮蔽部材、５は振動板でその材質はバイメタルあるいは形状記憶合金から成っている。７は洗剤である。
【００２０】
以下本実施例の動作について説明する。図３［ａ］は予備洗浄時の状態である。これが終わり本洗浄が始まると遮蔽部材２の係止が解除されて遮蔽部材２が元の位置に戻り、容器１内が外部へむきだしとなって洗浄槽内へ洗剤７は落下して行くが、［ｂ］のように洗剤の一部が湿って固着する。しかしヒータで加熱された洗浄水によって振動板５が加熱され、やがてある温度に達すると振動板５は［ｃ］のように洗浄槽内へ向かってせり出すように変形し、固着していた洗剤も固着面の形状変化に耐えきれず洗浄槽内へ落下していくのである。なお、振動板５の加熱手段は洗浄水に限らず、専用のヒータを設けてもよい。
【００２１】
以上のように本発明によれば、簡単な構成で洗浄槽内に効率よく洗剤全てを投入できるものである。
【００２２】
（実施例４）
次に本発明の第４の実施例について説明する。本実施例の基本構成および基本動作は実施例１と同様なので、異なる部分について説明する。
【００２３】
図４は図１［ｂ］の断面ｍ−ｍを示すものである。８は洗剤を入れる振動容器、２は振動容器８を遮蔽する遮蔽部材、９は振動容器８を支持する弾性体、７は洗剤である。
【００２４】
以下本実施例の動作について説明する。この状態で本体を動作させると、予備洗浄が終わり本洗浄が始まったときに遮蔽部材２の係止が解除されて遮蔽部材２が元の位置に戻り、振動容器８内が外部へむきだしとなる。中にあった洗剤７の大部分は洗浄槽へ落下して行くが、一部は落下しないで振動容器内に固着する。しかしながら洗浄ノズルによって勢い良く噴射された洗浄水のために、洗浄槽はわずかながら振動する。弾性体９はこの振動を増幅するので振動容器８は大きく加振され、固着していた洗剤の全てが落下していくのである。
【００２５】
以上のように本発明によれば、簡単な構成で大きく加振でき、洗浄槽内に効率よく洗剤全てを投入できるものである。
【００２６】
（実施例５）
次に本発明の第５の実施例について説明する。本実施例の基本構成および基本動作は実施例１と同様なので、異なる部分について説明する。
【００２７】
図５は食器洗浄機本体の一部を示したものである。１は洗剤７を入れる容器であり、振動板５と加振手段１０が設けられている。１１は給水管で水道からの水を洗浄槽へ導くための給水経路であり、図示のごとく洗剤の容器１が給水経路の出口に相当するように構成されている。
【００２８】
以下本実施例の動作について説明する。予備洗浄の給水時には制御装置によって遮蔽部材２は閉じられ、容器内部は外部と遮蔽されており給水管１１から出る水は容器１には当たらない。従ってこのときは容器内部の洗剤７が洗浄槽内へは入らない。次に本洗浄の給水時には制御装置によって遮蔽部材２は開けられ、容器内部は外部にむき出しになり、給水管１１から出た水が洗剤に直接当たり、洗浄槽へ落ちていく。このとき、加振手段１０によって振動板５が振動するので、洗剤は給水経路の水の力と振動の力とによって強制的に容器外部へ、固着することなく全てが落下していくのである。
【００２９】
以上のように本発明によれば、給水経路の水の力と振動の力とによって、確実に洗浄槽内に効率よく洗剤全てを投入できるものである。
【００３０】
（実施例６）
次に本発明の第６の実施例について説明する。本実施例の基本構成および基本動作は実施例５と同様なので、異なる部分について説明する。
【００３１】
本実施例では、本洗浄の給水時のみ限定的に加振を行う。即ち洗剤が最も容器外へ落ちやすくなるときにのみ加振動作を行うことになり、加振動作に無駄がないものとなる。
【００３２】
以上のように実施例によれば、給水経路の水の力と振動の力とによって、確実に洗浄槽内に洗剤全てを投入できるだけでなく、加振動作そのものに無駄がなくなるものである。
【００３３】
食器かごを内装する洗浄槽と、洗浄水を噴射する洗浄ノズルと、洗浄水を加圧する洗浄ポンプと、洗浄槽の開口部を閉じる蓋と、洗剤を収納する容器部及び前記容器部に振動を加えるための加振手段を備えた洗剤投入装置を有し、前記容器部の一部が直接的に洗浄槽内に開放された状態で、前記加振手段により容器部を加振することで洗剤を洗浄槽へ投入することを特徴とした食器洗浄機としたので、洗剤投入装置内の洗剤が強制的に外部へ放出されるので、洗浄槽内に効率よく洗剤全てを投入することができるものである。
【００３４】
加振手段を超音波振動子で構成したので、遮蔽部材が開くタイミングに合わせ都合良く加振でき、洗浄槽内に効率よく洗剤全てを投入することができるものである。
【００３５】
食器かごを内装する洗浄槽と、洗浄水を噴射する洗浄ノズルと、洗浄水を加圧する洗浄ポンプと、洗浄槽の開口部を閉じる蓋と、洗剤を収納する容器部を備えた洗剤投入装置を有し、前記容器部が弾性体を介して可動的に保持された状態で前記容器部の一部が直接的に洗浄槽内に開放されることにより、前記容器内の洗剤が洗浄槽に投入されることを特徴とした食器洗浄機としたので、簡単な構成で洗浄槽内に効率よく洗剤全てを投入できるものである。
【００３６】
食器かごを内装する洗浄槽と、洗浄水を噴射する洗浄ノズルと、洗浄水を加圧する洗浄ポンプと、洗浄槽の開口部を閉じる蓋と、洗剤を収納する容器部及び感熱応動部材を備えた洗剤投入装置を有し、前記容器部の一部が直接的に洗浄槽内に開放された状態で、前記感熱応動部材が洗浄槽内へ向かってせり出すように変形することで洗剤を洗浄槽部へ投入することを特徴とした食器洗浄機としたので、簡単な構成で大きく加振でき、洗浄槽内に効率よく洗剤全てを投入できるものである。
【００３７】
感熱応動部材をバイメタルで構成すれば、簡単な構成で大きく加振でき、洗浄槽内に効率よく洗剤全てを投入できるものである。
【００３８】
感熱応動部材を形状記憶合金で構成すれば、簡単な構成で大きく加振でき、洗浄槽内に効率よく洗剤全てを投入できるものである。
【００３９】
【発明の効果】
以上のように本発明によれば、食器洗浄機において、洗浄槽内に効率よく全ての洗剤を投入することができるという効果を奏するものである。
【図面の簡単な説明】
【図１】  本発明の第１の実施例である食器洗浄機の洗剤投入装置の構成を示す斜視図
【図２】  本発明の第２の実施例である食器洗浄機の洗剤投入装置の断面図
【図３】  本発明の第３の実施例である食器洗浄機の洗剤投入装置の断面図
【図４】  本発明の第４の実施例である食器洗浄機の洗剤投入装置の断面図
【図５】  本発明の第５の実施例である食器洗浄機の洗剤投入装置の断面図
【図６】  従来の食器洗浄機の断面図
【符号の説明】
１  容器
２  遮蔽部材
３  中心軸
４  加振手段
５  振動板
６  超音波振動子
７、１６  洗剤
８  振動容器
９  弾性体
１０  加振手段
１１  給水管
１２  洗浄槽
１３  蓋
１４  食器かご
１５  洗剤投入装置
１７  洗浄ポンプ
１８  洗浄ノズル
１９  ヒータ
２０  排水ポンプ
２１  制御装置
【図１】
0003736194.tif 000002
【図２】
0003736194.tif 000003
【図３】
0003736194.tif 000004
【図４】
0003736194.tif 000005
【図５】
0003736194.tif 000006
【図６】
0003736194.tif 000007